(57)【要約】【課題】折り畳みと回動自在なアームを設けることによって、ペットの体に鎖等がからまず、携帯に便利であり、係留時の運動機能に優れた小動物係留具を提供する。【解決手段】適宜長の棒体上部にアームを棒体に対し回動自在に設けるとともに、棒体に対するアームの折り畳み手段を設けたことを特徴とする。【選択図】      図８
2005270088.tif 000002
【特許請求の範囲】
【請求項１】
適宜長の棒体上部にアームを棒体に対して回動自在に設けるとともに、棒体に対するアームの折り畳み手段を設けたことを特徴とする小動物係留具。
【請求項２】
棒体適所に突片を有してなる請求項１記載の小動物係留具。
【発明の詳細な説明】
【技術分野】
【０００１】  この発明は、ペットなどの小動物を係留するための用具に関する。
【背景技術】
【０００２】  従来より、犬その他の小動物を係留するときは、建物の一部に設けた係留部を用いたり、または地中に打ち込んだ棒状体に係留しているが、そのいずれも単なる係留部分を適所に設けたものであって、本発明に示すように、回動自在でかつ、折り畳み可能なるアームを有するものは、現在のところ見当たらない。
【発明の開示】
【発明が解決しようとする課題】
【０００３】  前項にて記したように、従来からの係留方法・用具は、動物の首輪につなげたロープ・鎖等の端部を単に係留個所につなぐものであるが、以下のような課題を有している。
すなわち、動物はその性質上、じっと静止した状態を長時間保つことは苦痛であり、したがって、適度に体を動かしたり歩き回ったりする。ところが、従来タイプの係留具には地中に打ち込んだ軸心に対して、係留部分が回動自在ではなく、そのため、犬などが歩き回ったりして身体に鎖などが絡む場合も起きてくる。また、建物の一部に係留部を設けたタイプは、係留個所の移動ができず、その使用範囲も限定される。
本発明は、以上記した従来からの係留具に関わる課題を解決するために発明されたもので、移動設置が可能で、鎖等が体に絡むこともなく、係留時での動物の運動をも可能とする小動物用の係留具を提供することを目的として開発されたものである。
【課題を解決するための手段】
【０００４】  課題を解決する手段として本発明は、棒体にアームを回動自在に設けてその主要部を構成した。すなわち、適宜長の棒体上部にアームを棒体に対して回動自在に設けるとともに、棒体に対するアームの折り畳み手段を設ける。本発明は以上の構成よりなる小動物係留具である。
【発明の効果】
【０００５】  本発明によれば、棒体を地中に打ち込んで使用するため、その係留位置を任意に設定でき、棒体上部にアームが３６０度回動自在に軸支されるので、ペットの自由な運動を係留範囲において妨げることがない。また、アームは棒体に沿って容易に折り畳み可能のため、持ち運びに便利である。なお、棒体適所に突片を設けることにより、地中に打ち込んだ棒体を抜き出す場合、この突片をハンマー等で下から打ち上げることにてその作業が容易となる。
以上のごとく本発明により、設置・移動そして携帯に便利であるとともに、その機能性をも向上させた小動物係留具を提供することができる。
【発明を実施するための最良の形態】
【０００６】  以下、本発明の実施形態について説明する。
図において、１は所定長の鉄製棒体で、その下端を先鋭に形成するとともに、上端には短管体によるスリーブ２が嵌入され、ピン３にて棒体に固定される。また、棒体上部近傍には段部を有して棒体外径よりやや大きな外径部分が設けられ、その側面には角板状の突片４が固着される。５はアーム保持具で、棒体に遊嵌可能な内径を有する短管体の側面に２枚の板体を平行に少しの距離を持って固着するとともに、これら板体を貫通する孔を板体の上部と下部に穿設して形成される。このアーム保持具は、棒体上方から挿入され、スリーブ嵌入にてスリーブと棒体段部間に回動自在に保持される。
６はアームで、平板側面に棒体を固着して三角形状に形成し、その先端には小環体による係留環７が固着される。また該平板の側面上部には略Ｌ形の切り欠き部８が、下部には長穴９が各々設けられる。１０は六角穴付きのボルトで、アーム保持具間に位置するアームの端部とアーム保持具を挿通して位置し、アーム保持具より突出した雄ネジ部分にワッシャを介して袋ナット１１が螺着される。【０００７】  本発明を使用するには、まず係留個所に本発明品を運び、棒体上端をハンマー等で打って地中に棒体を打ち込む。次ぎにアームを手でもって上方に持ち上げて水平位置とし、切り欠き部内にボルトが位置するように移動させて手を離すと、アームの水平位置が定まる。
すなわち、アームを水平にして少し上方へ持ち上げたとき、下のボルトは長穴の下部に位置し、このとき上のボルトは切り欠き部の下部に位置するのでアームを離すと自重にて切り欠き部の略円弧形上部にボルトが位置することとなり、アームの水平位置が保持される。アームを折り畳むときはこの逆の手順にて図７のような折り畳み状態へと移行できる。
そして小動物例えば犬の首輪と係留環間を鎖その他の部材にて繋ぐ。この状態で棒体は地中に固定され、アームはアーム保持具に係止され、アーム保持具は棒体の段部上面とスリーブ間にて回動自在であるため、犬は棒体の周りを所定範囲内にて自由に動くことができる。また、棒体側面に突片を設けたので、この突片を下から上にハンマー等で打ち上げることにより、その抜き出しも容易となる。【０００８】  本発明の内容については既述したが、本発明は任意の個所の地中に打ち込んで使用し、回動自在なアーム端に小動物を係留するところにその特徴がある。
従来は固定個所での係留が多いため、その係留個所の移動ができなかった。また、回動手段を有さない係留のため、係留された小動物の動きにてロープや鎖が小動物の身体に絡まって不自由であり、その動きも制限されて係留された動物のストレスを助長するものとなっていた。しかし本発明はこれらの問題をすべて解決する構成となったのである。
なお、実施形態では鉄製の棒体としたが、その他の材料を用いて製作してもよい。
また、アームを三角形状としたが、他の形状のアームとしてもよい。本発明は犬以外の他の小動物にも利用可能である。
以上のごとく、本発明にて携帯可能であって任意の地面に打ち込んで使用でき、アームの折り畳みが可能のためその携帯にも便利であり、係留された小動物の動きにても鎖等の絡まることのない、有用なる物品を得ることができる。
【図面の簡単な説明】
【０００９】
【図１】  本発明の拡大平面図（アーム水平状態）
【図２】  本発明の一部を省略した正面図（アーム水平状態）
【図３】  本発明の要部構造説明図（平面視）
【図４】  本発明のアームの正面図
【図５】  本発明のアーム保持具の平面図
【図６】  本発明のアーム保持具の正面図
【図７】  本発明の一部を省略した正面図（アーム折り畳み状態）
【図８】  本発明の使用状態図
【符号の説明】
【００１０】  １    棒体
２    スリーブ
３    ピン
４    突片
５    アーム保持具
６    アーム
７    係留環
８    切り欠き部
９    長穴
１０  ボルト
１１  袋ナット
１２  鎖
１３  孔
【図１】
2005270088.tif 000003
【図２】
2005270088.tif 000004
【図３】
2005270088.tif 000005
【図４】
2005270088.tif 000006
【図５】
2005270088.tif 000007
【図６】
2005270088.tif 000008
【図７】
2005270088.tif 000009
【図８】
2005270088.tif 000010